(57)【要約】【課題】内部仕切りが形成された一時貯留槽において、上記不具合が生じることを抑制しつつ、排水時のサイフォン起動を早めることを目的とする。【解決手段】側壁１６，１８で囲まれた領域が仕切壁１４により区画されて構成され、水廻り器具からの排水を夫々一時貯留でき、かつ所定の水位以上で互いに連通する第１個別貯留部１１及び第２個別貯留部１２を有し、第１個別貯留部１１の側壁１６には排水の流入口２２が設けられ、第１個別貯留部１１及び第２個別貯留部１２には、排水の排出口が設けられ、排水の流入方向（矢印Ｉ方向）における側壁１６から仕切壁１４までの距離をＤ２とし、排水の流入方向（矢印Ｉ方向）における流入口２２から仕切壁１４までの距離をＤ１とすると、第１個別貯留部１１は、Ｄ２＜Ｄ１となる部位を有している。【選択図】図１
2014088705.tif 000002
【特許請求の範囲】
【請求項１】
側壁で囲まれた領域が仕切壁により区画されて構成され、水廻り器具からの排水を夫々一時貯留でき、かつ所定の水位以上で互いに連通する第１個別貯留部及び第２個別貯留部を有し、
前記第１個別貯留部の側壁には前記排水の流入口が設けられ、
前記第１個別貯留部及び第２個別貯留部には、前記排水の排出口が設けられ、
排水の流入方向における前記流入口から前記仕切壁までの距離をＤ１とし、排水の流入方向における前記第１個別貯留部の側壁から前記仕切壁までの距離をＤ２とすると、前記第１個別貯留部は、Ｄ２＜Ｄ１となる部位を有する、サイフォン排水で使用される一時貯留槽。
【請求項２】
排水の流入方向における前記第１個別貯留部の側壁から前記仕切壁までの距離Ｄ２が、流入口から離れるにしたがって漸減するように形成されている部分を有する請求項１に記載の一時貯留槽。
【請求項３】
前記側壁が円筒形に形成されている請求項１に記載の一時貯留槽。
【請求項４】
前記第１個別貯留部の前記側壁の両端部が、前記第１個別貯留部の内側へ張り出すように形成されている請求項１に記載の一時貯留槽。
【発明の詳細な説明】
【技術分野】
【０００１】
本発明は、サイフォン排水システムに用いられる一時貯留槽に関する。
【背景技術】
【０００２】
貯水部付きサイフォン排水システムにおいて、水廻り器具と貯水部とが連結管（流入管）によって接続され、貯水部が仕切り部材によって二つに分割された構造が開示されている（特許文献１参照）。仕切り部材は、連結管が接続される貯水部の壁面に対して平行に配置されており、仕切り部材と壁面との間隔が一定となっている。
【先行技術文献】
【特許文献】
【０００３】
【特許文献１】特開２００７−３１５０３６号公報
【発明の概要】
【発明が解決しようとする課題】
【０００４】
内部仕切りが形成された一時貯留槽において、水廻り器具からの流入が接続される区画（流入区画）をなるべく狭くすることで、早くその区画の水位を上げることができ、サイフォン起動を早める事が可能である。またこれによって、一時貯留槽全体の容量を小さくでき、同じ容量の一時貯留槽であれば、二次側配管である横引き管をより長く設定でき、排水システムにおける設計の自由度が向上する。
【０００５】
しかしながら、流入管の接続口（流入口）が設けられている側壁から内部仕切りまでの距離が一定であるため、流入区画を狭くしすぎて、当該距離が極端に短くなると、下記の様な不具合が生じ易くなり、設計の自由度の低下につながる。
（１）一時貯留槽内に流入した排水が、内部仕切りに勢いよくぶつかる為、その排水が跳ねて通気管及び、通気管接続口に入り込み通気不良が生じる。
（２）流入区画自体は満水になっていないのに、接続口付近のみ水が滞留することで、水廻り器具側の排水口のところで溢れが生じた状態になる。
（３）跳ねた排水が、一時貯留槽の蓋等に付着して汚れとなる。
【０００６】
本発明は、上記事実を考慮して、内部仕切りが形成された一時貯留槽において、上記不具合が生じることを抑制しつつ、排水時のサイフォン起動を早めることを目的とする。
【課題を解決するための手段】
【０００７】
請求項１の発明は、側壁で囲まれた領域が仕切壁により区画されて構成され、水廻り器具からの排水を夫々一時貯留でき、かつ所定の水位以上で互いに連通する第１個別貯留部及び第２個別貯留部を有し、前記第１個別貯留部の前記側壁には前記排水の流入口が設けられ、前記第１個別貯留部及び第２個別貯留部には、前記排水の排出口が設けられ、排水の流入方向における前記流入口から前記仕切壁までの距離をＤ１とし、排水の流入方向における前記側壁から前記仕切壁までの距離をＤ２とすると、前記第１個別貯留部は、Ｄ２＜Ｄ１となる部位を有し、サイフォン排水で使用される。
【０００８】
請求項１に記載の一時貯留槽では、第１個別貯留部が、Ｄ２＜Ｄ１となる領域を有しており、排水の流入方向における流入口から仕切壁までの距離が、比較的大きく設定されているので、流入した排水が仕切壁で跳ねることが抑制される。また、流入口付近での排水の滞留及び溢れが抑制される。このため、上記（１）〜（３）の不具合が生じることを抑制しつつ、第１個別貯留部の容積を最小限に設定し、排水時のサイフォン起動を早めることができる。
【０００９】
請求項２に記載の一時貯留槽では、第１個別貯留部の距離Ｄ２が、流入口から離れるにしたがって漸減するように形成されている部分を有しているので、流入した排水が滑らかに第１個別貯留部全体に行き渡り、仕切壁で跳ねることが抑制される。また、流入口付近での排水の滞留及び溢れが抑制される。また、仕切壁を平面状に形成しても、第１個別貯留部の側壁部から仕切壁までの距離に変化を付けることができる。この場合、メンテナンスが容易となる。
【００１０】
請求項３に記載の一時貯留槽では、側壁が円筒形に形成されているので成形し易い。また、上部に蓋をねじ嵌合させることができるため、蓋の固定性及び止水性が良好となる。
【００１１】
請求項４に記載の一時貯留槽では、一時貯留槽を二重床の下に設置する場合に、二重床の脚ボルトを容易に避けることができる。このため、二重床の下の限られたスペースにも、大きな一時貯留槽を容易に設置することが可能となる。またこれによって、サイフォン排水管の横引き管部分の長さを長くすることができるので、設計の自由度が向上する。
【発明の効果】
【００１２】
以上説明したように、本発明に係る一時貯留槽によれば、上記（１）〜（３）のような不具合が生じることを抑制しつつ、排水時のサイフォン起動を早めることができる、という優れた効果が得られる。
【図面の簡単な説明】
【００１３】
【図１】（Ａ）第１実施形態に係る一時貯留槽を模式的に示す平面図である。（Ｂ）第２実施形態に係る一時貯留槽を模式的に示す平面図である。（Ｃ）第３実施形態に係る一時貯留槽を模式的に示す平面図である。（Ｄ）第４実施形態に係る一時貯留槽を模式的に示す平面図である。（Ｅ）第５実施形態に係る一時貯留槽を模式的に示す平面図である。
【発明を実施するための形態】
【００１４】
以下、本発明を実施するための形態を図面に基づき説明する。
［第１実施形態］
図１（Ａ）において、本実施形態に係る一時貯留槽１０は、サイフォン排水で使用され、第１個別貯留部１１及び第２個別貯留部１２を有している。一時貯留槽１０は、長さが比較的短い一対の側壁１６と、長さが比較的長い一対の側壁１８を有し、平面視で例えば長方形（四角形）に形成されている。一対の側壁１６は互いに平行に配置されている。一対の側壁１８も互いに平行に配置されている。
【００１５】
第１個別貯留部１１及び第２個別貯留部１２は、側壁１６，１８により囲まれた領域が仕切壁１４により区画されて構成され、水廻り器具（図示せず）からの排水を夫々一時貯留できるようになっている。本実施形態では、仕切壁１４が２つ設けられており、２つの第１個別貯留部１１の間に、１つの第２個別貯留部１２が設けられている。
【００１６】
第１個別貯留部１１及び第２個別貯留部１２は、所定の水位以上で互いに連通している。第２個別貯留部１２の容積は、第１個別貯留部１１の容積よりも大きい。ここで、所定の水位は、例えば仕切壁１４の高さで設定される。仕切壁１４の高さは、側壁１６，１８よりも低く設定される。この構成では、第１個別貯留部１１及び第２個別貯留部１２の一方の水位が仕切壁１４の高さを越えたときに、該仕切壁１４に対する越流が生じ、他方へ流入する。なお、所定の水位を、仕切壁１４に設けた貫通孔や切欠き等（図示せず）の高さで設定することもできる。
【００１７】
第１個別貯留部１１の側壁１６には、排水の流入口２２が設けられている。この流入口２２には、流入管３２が接続されている。流入管３２の上流側には、水廻り器具（図示せず）が接続される。第１個別貯留部１１には、排水の排出口２４が設けられている。この排出口２４には、サイフォン排水管３４が接続されている。第２個別貯留部１２には、排水の排出口２６が設けられている。この排出口２６には、サイフォン排水管３６が接続されている。なお、図示の例では、排出口２４，２６が側壁１８に位置しているが、これに限られず、各個別貯留部の底部に位置していてもよい。第１個別貯留部１１については、排出口２４が側壁１６に位置していてもよい。
【００１８】
排水の流入方向（矢印Ｉ方向）における流入口２２から仕切壁１４までの距離をＤ１とし、排水の流入方向（矢印Ｉ方向）における側壁１６から仕切壁１４までの距離をＤ２とすると、第１個別貯留部１１は、Ｄ２＜Ｄ１となる部位を有している。換言すれば、流入口２２から仕切壁１４までの距離Ｄ１は、比較的大きく設定されている。具体的には、仕切壁１４のうち、流入口２２と対向する部位は、第２個別貯留部１２側に凹んだ凹部１４Ａとされている。排水の流入方向（矢印Ｉ方向）における凹部１４Ａの最深部は、平面視で円筒面や放物面等の曲面となっている。凹部１４Ａの入口１４Ｃの開口幅は、流入口２２の直径と同等又はそれ以上となっている。
【００１９】
距離Ｄ１は、排水の流入方向（矢印Ｉ方向）における流入口２２から凹部１４Ａの最深部までの距離である。仕切壁１４における凹部１４Ａ以外の一般部１４Ｂは、側壁１６と略平行である。排水の流入方向（矢印Ｉ方向）において、側壁１６から一般部１４Ｂまでの距離をＤ２とすると、Ｄ１＞Ｄ２に設定されている。具体的には、距離Ｄ１は、８０ｍｍ以上であり、距離Ｄ１が８０ｍｍを下回ると、上記（１）〜（３）の不具合が生じ易くなる。
【００２０】
図１（Ａ）において、二点鎖線は、比較例としての平板状の仕切壁２８を仮想的に示したものである。排水の流入方向（矢印Ｉ方向）において、側壁１６から仕切壁１４までの距離は、Ｄ１で一定である。このような仕切壁２８と比較すると、本実施形態の仕切壁１４では、一般部１４Ｂが側壁１６と接近している。これによって、第１個別貯留部１１の容積が縮小されている。
【００２１】
（作用）
本実施形態は、上記のように構成されており、以下その作用について説明する。図１（Ａ）において、本実施形態に係る一時貯留槽１０では、図示しない水廻り器具から流された排水が、流入管３２及び流入口２２を通じて、第１個別貯留部１１内へ流入する。このとき、排水の流入方向（矢印Ｉ方向）における流入口２２から仕切壁１４までの距離Ｄ１が比較的大きく、かつ適切に設定されているので、流入した排水が仕切壁１４で跳ねることが抑制される。これにより、排水が通気管接続口（図示せず）に入り込むことは抑制される。また、流入口２２付近での排水の滞留及び水廻り器具側の排水口（図示せず）での溢れが抑制される。更に、一時貯留槽１０の蓋等の汚れが抑制される。
【００２２】
一方、仕切壁１４の一般部１４Ｂは、側壁１６と接近しているため、第１個別貯留部１１の容積が小さく、水位上昇に要する時間が少ない。従って、排水口２４及びサイフォン排水管３４から排水する際のサイフォン起動を早めることができる。サイフォン起動が生ずると、第１個別貯留部１１内の排水が、排水口２４及びサイフォン排水管３４を通じて排出される。
【００２３】
このように、本実施形態に係る一時貯留槽１０によれば、上記（１）〜（３）の不具合が生じることを抑制しつつ、第１個別貯留部１１の容積を最小限に設定し、排水時のサイフォン起動を早めることができる。また、第１個別貯留部１１の容積を小さくすることにより、一時貯留槽１０自体を小型化できる。更に、同じ容量の第１個別貯留部１１であれば、サイフォン排水管３４，３６の横引き管部分の最大長さを長くできる。このため、排水システムの設計の自由度が向上する。
【００２４】
第１個別貯留部１１に対する排水の単位時間当たりの流入量が、排水口２４及びサイフォン排水管３４からの単位時間当たりの排水量よりも多く、第１個別貯留部１１の水位が仕切壁１４の高さを上回った場合には、該仕切壁１４に対する越流が発生し、第２個別貯留部１２に排水が流入する。第２個別貯留部１２の水位がある程度に達すると、サイフォン起動が生じ、第２個別貯留部１２内の排水が排水口２６及びサイフォン排水管３６を通じて排出される。
【００２５】
［第２実施形態］
図１（Ｂ）において、本実施形態に係る一時貯留槽２０では、第１個別貯留部１１の側壁１６が、平面視において曲面で形成されている。第２個別貯留部１２の側壁１８も、平面視において曲面で形成されている。具体的には、側壁１６，１８は平面視で円形となる円筒形に形成されている。
【００２６】
仕切壁１４は２つ設けられ、何れも平板状となっているが、これに限られず、排水の流入方向に凸とした曲面状であってもよい。第１実施形態と同様に、一時貯留槽２０には２つの第１個別貯留部１１が設けられている。一方の第１個別貯留部１１の側壁１６には２つの流入口２２が設けられ、流入管３２が夫々接続されている。他方の第１個別貯留部１１の側壁１６には１つの流入口２２が設けられ、流入管３２が接続されている。これにより、一時貯留槽２０に対して、３種類の水廻り器具（図示せず）を接続できるようになっている。流入管３２からの排水の流入方向（矢印Ｉ方向）は、仕切壁１４の長さ方向と交差する方向となっている。つまり、排水の流入方向は、仕切壁１４の長さ方向と直角方向には限定されず、該直角方向に対して傾斜していてもよい。流入口２２の位置での距離Ｄ１は、必ずしも側壁１６から仕切壁１４までの最大距離である必要はなく、第１個別貯留部１１に、距離Ｄ２（＜Ｄ１）となる部位が存在していればよい。他の実施形態についても同様である。
【００２７】
本実施形態では、第１個別貯留部１１の側壁１６が曲面で形成されているので、仕切壁１４を平面状に形成しても、側壁１６から仕切壁１４までの距離に変化を付けることができる。仕切壁１４を平面状に形成できるため、メンテナンスが容易となる。また、側壁１６，１８が円筒形に形成されているので、成形し易い。更に、側壁１６，１８を円筒形とすることにより、上部に蓋（図示せず）をねじ嵌合させることができるため、蓋の固定性及び止水性が良好となる。
【００２８】
他の部分については、第１実施形態と同様であるので、同一の部分には図面に同一の符号を付し、説明を省略する。
【００２９】
［第３実施形態］
図１（Ｃ）において、本実施形態に係る一時貯留槽３０では、仕切壁１４が２つ設けられ、何れも平板状となっている。また、第１個別貯留部１１の側壁１６の両端部１６Ａが、第１個別貯留部１１の内側へ張り出すように形成されている。これにより、側壁１６が平板状である場合と比較して、第１個別貯留部１１の容積が縮小されている。両端部１６Ａの形状は、平面視で第１個別貯留部１１の内側へ凸となる例えば円弧形である。なお、両端部１６Ａの形状を平板状としてもよい。
【００３０】
側壁１６の両端部１６Ａが第１個別貯留部１１の内側へ張り出すようにすることで、一時貯留槽３０の四隅には、他の部材を配置することが可能となる。従って、一時貯留槽３０を二重床（図示せず）の下に設置する場合に、二重床の脚ボルト４２を容易に避けることができる。このため、二重床の下の限られたスペースにも、大きな一時貯留槽３０を容易に設置することが可能となる。またこれによって、サイフォン排水管３４，３６の横引き管部分の長さを長くすることができるので、設計の自由度が向上する。
【００３１】
他の部分については、第１実施形態又は第２実施形態と同様であるので、同一の部分には図面に同一の符号を付し、説明を省略する。
【００３２】
［第４実施形態］
図１（Ｄ）において、本実施形態に係る一時貯留槽４０は、平面視で略菱形となっている。具体的には、一時貯留槽４０は、正方形を４５°回転させた形状となっている。側壁１６，１８は、夫々菱形の頂点を含んで一対ずつ設けられており、平面視で夫々略Ｖ字形に形成されている。２つの仕切壁１４は、何れも平板状に構成され、側壁１８の頂点同士を結ぶ対角方向と平行に配置されている。菱形の一辺における側壁１６，１８は一体的に構成されており、仕切壁１４の両端が接合されている位置を、側壁１６，１８の境界としている。なお、側壁１６，１８を夫々別部材で構成してもよい。
【００３３】
流入口２２は、第１個別貯留部１１における菱形の頂点付近に設けられている。これは、排水の流入方向（矢印Ｉ方向）における流入口２２から仕切壁１４までの距離Ｄ１が、菱形の頂点付近で最も大きくなるからである。
【００３４】
本実施形態では、第１個別貯留部１１の側壁１６が平面視で略Ｖ字形に形成されているので、仕切壁１４を平面状に形成しても、側壁１６から仕切壁１４までの距離に変化を付けることができる。仕切壁１４を平面状に形成できるため、メンテナンスが容易となる。また、菱形の一辺における側壁１６，１８が一体的に構成されているので、成形し易い。
【００３５】
他の部分については、第１実施形態又は第２実施形態と同様であるので、同一の部分には図面に同一の符号を付し、説明を省略する。
【００３６】
［第５実施形態］
図１（Ｅ）において、本実施形態に係る一時貯留槽５０では、仕切壁１４が平面視でＶ字形となっており、排水の流入方向（矢印Ｉ方向）における側壁１６から仕切壁１４までの距離が変化している。
【００３７】
第１実施形態と同様に、一時貯留槽５０には２つの第１個別貯留部１１が設けられている。一方の第１個別貯留部１１において、排水の流入方向（矢印Ｉ方向）における流入口２２から仕切壁１４までの距離Ｄ１は、Ｖ字形の谷部１４Ｄの位置で設定されている。他方の第１個別貯留部１１における距離Ｄ１は、仕切壁１４の端部と谷部１４Ｄとの間の位置で設定されている。仕切壁１４を対称に配置し、双方の第１個別貯留部１１を同等の容量とした場合、他方の第１個別貯留部１１での距離Ｄ１は、一方の第１個別貯留部１１での距離Ｄ１よりも小さくなる。但し、何れの距離Ｄ１も、８０ｍｍ以上である。
【００３８】
他方の第１個別貯留部１１において、流入口２２から流入した排水は、仕切壁１４に沿って谷部１４Ｄ側へ流れ易い。従って、他方の第１個別貯留部１１における距離Ｄ１が、一方の第１個別貯留部１１における距離Ｄ１よりも小さくても、流入した排水が仕切壁１４で跳ねることが抑制される。
【００３９】
なお、双方の第１個別貯留部１１の距離Ｄ１が同等となるように、仕切壁１４を非対称に配置してもよい。また、２つの流入口２２に対向する位置に、谷部１４Ｄを夫々設けてもよい。この場合、仕切壁１４は平面視でＷ字形となる。
【００４０】
他の部分については、第１実施形態と同様であるので、同一の部分には図面に同一の符号を付し、説明を省略する。
【００４１】
［他の実施形態］
上記実施形態では、第１個別貯留部１１が２つ、第２個別貯留部１２が１つ設けられるものとしたが、第１個別貯留部１１及び第２個別貯留部１２の数はこれに限られず、第１個別貯留部１１は１つでもよく、また３つ以上であってもよいし、第２個別貯留部１２は２つ以上であってもよい。また上記各実施形態の構造は、適宜組み合わせて用いることが可能である。
【符号の説明】
【００４２】
１０  一時貯留槽，１１  第１個別貯留部，１２  第２個別貯留部，１４  仕切壁，１６  側壁，１６Ａ  両端部，１８  側壁，２０  一時貯留槽，２２  流入口，２４  排出口，２６  排水口，２８  仕切壁，３０  一時貯留槽，４０  一時貯留槽，５０  一時貯留槽，Ｄ１  距離
【図１】
2014088705.tif 000003